(57)【特許請求の範囲】
【請求項１】
キャリブレーションセンサを用いて、複数の表示装置の画面を縦もしくは横に配列してなるマルチディスプレイ装置のキャリブレーションを行うコンピュータによるキャリブレーション実施方法であって、
前記コンピュータは、
キャリブレーションの対象となる表示装置の画面と隣り合うキャリブレーションが終了した他の表示装置の有無に応じて前記キャリブレーションの対象となる表示装置の画面における前記キャリブレーションセンサの少なくとも１つの検出位置を設定するセンサ設定工程と、
前記センサ設定工程で設定された検出位置に配置された前記キャリブレーションセンサの検出出力に基づき前記キャリブレーションの対象となる表示装置の画面のキャリブレーションを行うキャリブレーション工程とを実施し、
前記センサ設定工程では、前記キャリブレーションの対象となる表示装置の画面と隣り合うキャリブレーションが終了した他の表示装置が有った場合に、前記キャリブレーションセンサの検出位置を前記キャリブレーションの対象となる表示装置の画面における該画面中央よりもキャリブレーションを終了した他の表示装置の画面の近くと画面中央に設定し、
前記センサ設定工程の前に、前記各表示装置別に、隣り合う他の表示装置の画面の数を求め、前記隣り合う他の表示装置の画面の数が多くなる程、前記表示装置の画面のキャリブレーションを行う順位を高く設定する順位設定工程を実施し、
前記順位設定工程で設定された順位に従って前記キャリブレーションの対象となる表示装置の画面を選択して、前記センサ設定工程及び前記キャリブレーション工程を実施することを特徴とするコンピュータによるキャリブレーション実施方法。
【請求項２】
請求項１に記載のコンピュータによるキャリブレーション実施方法であって、
前記センサ設定工程では、前記キャリブレーションの対象となる表示装置の画面と隣り合うキャリブレーションが終了した他の表示装置が無かった場合に、前記キャリブレーションセンサの検出位置を前記キャリブレーションの対象となる表示装置の画面中央に設定することを特徴とするコンピュータによるキャリブレーション実施方法。
【請求項３】
請求項１または２に記載のコンピュータによるキャリブレーション実施方法であって、
前記順位設定工程では、前記隣り合う他の表示装置の画面の数が最大となる複数の表示
装置の画面がある場合は、前記隣り合う他の表示装置の画面の数が最大となる前記各表示
装置の画面を選択して抽出し、この選択して抽出した各表示装置別に、隣り合う他の表示
装置の画面の数を求め、隣り合う他の表示装置の画面の数が多くなる程、前記表示装置の
画面のキャリブレーションを行う順位を高く設定することを特徴とするコンピュータによ
るキャリブレーション実施方法。
【請求項４】
請求項１〜３のいずれか１つに記載のコンピュータによるキャリブレーション実施方法であって、
前記キャリブレーションの対象となる表示装置の画面におけるキャリブレーションセンサの検出位置が複数の場合は、複数のキャリブレーションセンサを前記各検出位置にそれぞれ配置して用いることを特徴とするコンピュータによるキャリブレーション実施方法。
【請求項５】
請求項１〜３のいずれか１つに記載のコンピュータによるキャリブレーション実施方法であって、
前記キャリブレーションの対象となる表示装置の画面におけるキャリブレーションセンサの検出位置が複数の場合は、単一のキャリブレーションセンサを前記各検出位置に逐次移動配置して用いることを特徴とするコンピュータによるキャリブレーション実施方法。
【請求項６】
請求項１〜５のいずれか１つに記載のコンピュータによるキャリブレーション実施方法であって、
前記センサ設定工程では、前記キャリブレーションの対象となる表示装置の画面におけるキャリブレーションセンサの検出位置の数を、前記表示装置の画面と隣り合うキャリブレーションを終了した他の表示装置の数以上に設定することを特徴とするコンピュータによるキャリブレーション実施方法。
【請求項７】
請求項１〜６のいずれか１つに記載のコンピュータによるキャリブレーション実施方法であって、
前記コンピュータは、前記キャリブレーションの対象となる表示装置の画面にキャリブレーションの検出位置の指標を表示することを特徴とするコンピュータによるキャリブレーション実施方法。
【請求項８】
複数の表示装置の画面を縦もしくは横に配列してなるマルチディスプレイ装置のキャリブレーションを行うキャリブレーション実施システムであって、
キャリブレーションセンサと、
キャリブレーションの対象となる表示装置の画面と隣り合うキャリブレーションが終了した他の表示装置の有無に応じて前記キャリブレーションの対象となる表示装置の画面における前記キャリブレーションセンサの少なくとも１つの検出位置を設定し、前記設定された検出位置に配置された前記キャリブレーションセンサの検出出力に基づき前記キャリブレーションの対象となる表示装置の画面のキャリブレーションを行うコンピュータとを備え、
前記コンピュータは、前記各表示装置別に、隣り合う他の表示装置の画面の数を求め、前記隣り合う他の表示装置の画面の数が多くなる程、前記表示装置の画面のキャリブレーションを行う順位を高く設定し、前記設定された順位に従って前記キャリブレーションの対象となる表示装置の画面を選択し、前記キャリブレーションの対象となる表示装置の画面と隣り合うキャリブレーションが終了した他の表示装置が有った場合に、前記キャリブレーションセンサの検出位置を前記キャリブレーションの対象となる表示装置の画面における該画面中央よりもキャリブレーションを終了した他の表示装置の画面の近くと画面中央に設定することを特徴とするキャリブレーション実施システム。
【発明の詳細な説明】
【技術分野】
【０００１】
本発明は、複数の表示装置の画面を縦もしくは横に配列してなるマルチディスプレイ装置のキャリブレーションを行うためのコンピュータによるキャリブレーション実施方法及びキャリブレーション実施システムに関する。
【背景技術】
【０００２】
マルチディスプレイ装置のキャリブレーション実施方法としては、特許文献１に記載されたものがある。ここでは、縦横に配列された複数の表示装置の画面に色度センサを１個ずつ割り当て、各色度センサにより各表示装置の画面の一箇所の色値を検出し、これらの色値から各表示装置の画面の色変換係数を求め、各色変換係数に基づき各表示装置の画面の色変換を行っている。
【０００３】
また、特許文献２では、マルチディスプレイ装置のキャリブレーションとは異なるが、カメラによって被撮像面を撮像し、被撮像面に写っている複数のマーカを判別して、被撮像面上の各マーカに基づきカメラのキャリブレーションを行っている。
【先行技術文献】
【特許文献】
【０００４】
【特許文献１】再公表特許ＷＯ９９／５３６９３号公報
【特許文献２】特開２００８−１４９４０号公報
【発明の概要】
【発明が解決しようとする課題】
【０００５】
ところで、表示装置の画面全体では色度や輝度が均一でないことが多く、このためにマルチディスプレイ装置を構成する各表示装置の画面の一箇所の色度や輝度が一致するようにキャリブレーションを行っても、各表示装置の画面の他の箇所間では色度や輝度の差が目立つことがあった。例えば、隣り合う２つの表示装置の画面中央の色度や輝度を一致させても、各表示装置の相互に近接するそれぞれの画面周辺では一方の色度や輝度が高くかつ他方の色度や輝度が低くなることがあり、この場合には各表示装置の画面間で色度や輝度のムラが目立った。
【０００６】
特許文献１では、各色度センサにより検出された各表示装置の画面一箇所の色値を用いて、各表示装置の画面の色変換を行っていることから、そのような問題が発生することがある。すなわち、各表示装置の画面一箇所の色を適確に設定することができても、各表示装置の相互に近接するそれぞれの画面周辺の一方の色と他方の色との差が大きくなることがあり、各表示装置の画面間で色のムラを効果的に抑制することはできなかった。
【０００７】
また、特許文献２では、カメラによって被撮像面を撮像しているので、被撮像面全体の色度や輝度の検出が可能である。このため、特許文献１において、特許文献２のカメラにより各表示装置の画面全体の平均的な色値を検出し、これらの平均的な色値を用いて、各表示装置の画面の色変換を行えば、隣り合う各表示装置の相互に近接するそれぞれの画面周辺の一方の色と他方の色との差が小さくなって、各表示装置の画面間の色ムラを効果的に抑制することができる。しかしながら、このようなカメラは、特許文献１の色度センサと比較すると非常に高価であり、また表示装置の画面全体の色度や輝度を検出して、それらの平均値を求めるまでの演算処理が複雑であった。
【０００８】
そこで、本発明は、上記従来の問題点に鑑みなされたものであり、キャリブレーションセンサを用いて、簡単な演算処理により各表示装置の画面間の色度や輝度のムラを効果的に抑制することが可能なコンピュータによるキャリブレーション実施方法及びキャリブレーション実施システムを提供することを目的とする。
【課題を解決するための手段】
【０００９】
上記課題を解決するために、本発明のコンピュータによるキャリブレーション実施方法は、キャリブレーションセンサを用いて、複数の表示装置の画面を縦もしくは横に配列してなるマルチディスプレイ装置のキャリブレーションを行うコンピュータによるキャリブレーション実施方法であって、前記コンピュータは、キャリブレーションの対象となる表示装置の画面と隣り合うキャリブレーションが終了した他の表示装置の有無に応じて前記キャリブレーションの対象となる表示装置の画面における前記キャリブレーションセンサの少なくとも１つの検出位置を設定するセンサ設定工程と、前記センサ設定工程で設定された検出位置に配置された前記キャリブレーションセンサの検出出力に基づき前記キャリブレーションの対象となる表示装置の画面のキャリブレーションを行うキャリブレーション工程とを実施し、前記センサ設定工程では、前記キャリブレーションの対象となる表示装置の画面と隣り合うキャリブレーションが終了した他の表示装置が有った場合に、前記キャリブレーションセンサの検出位置を前記キャリブレーションの対象となる表示装置の画面における該画面中央よりもキャリブレーションを終了した他の表示装置の画面の近くと画面中央に設定し、前記センサ設定工程の前に、前記各表示装置別に、隣り合う他の表示装置の画面の数を求め、前記隣り合う他の表示装置の画面の数が多くなる程、前記表示装置の画面のキャリブレーションを行う順位を高く設定する順位設定工程を実施し、前記順位設定工程で設定された順位に従って前記キャリブレーションの対象となる表示装置の画面を選択して、前記センサ設定工程及び前記キャリブレーション工程を実施する。
【００１０】
このような本発明のキャリブレーション実施方法では、キャリブレーションの対象となる表示装置の画面と隣り合うキャリブレーションが終了した他の表示装置が有った場合は、キャリブレーションの対象となる表示装置の画面において、キャリブレーションセンサの検出位置としてキャリブレーションが終了した他の表示装置の画面に近接する箇所と画面中央を設定して、この近接する箇所の色度や輝度を調整することができ、その近接する箇所の色度や輝度を他の表示装置の画面の色度や輝度に近づけて、各表示装置の画面間の色度や輝度のムラを効果的に抑制することができる。キャリブレーションの対象となる表示装置の画面と隣り合うキャリブレーションが終了した他の表示装置が無かった場合は、キャリブレーションの対象となる表示装置の画面の中央箇所等をキャリブレーションセンサの検出位置として設定して、表示装置の画面の中央箇所の色度や輝度を適宜に調整すればよい。
【００１１】
また、複数のキャリブレーションセンサを用いる場合であっても、各キャリブレーションセンサにより検出された色度や輝度の平均値に基づき表示装置の画面のキャリブレーションを行えば、キャリブレーションのための演算処理が複雑化することはない。また、各表示装置の画面のキャリブレーションを行う順位を設定することにより、各表示装置の画面全てのキャリブレーションを速やかに行うことができる。このように隣り合う他の表示装置の画面の数が最も多い表示装置の画面のキャリブレーションを優先した場合は、優先した表示装置の画面の色度や輝度の調整が容易である。逆に、他の多くの表示装置の画面の色度や輝度を優先的に調整した場合は、他の多くの表示装置の画面の色度や輝度に合わせて、１つの表示装置の画面の色度や輝度を調整する必要があり、この調整が困難になる。
【００１２】
尚、隣り合う他の表示装置の画面とは、任意の表示装置の画面の各辺に隣り合う他の表示装置の画面であり、任意の表示装置の画面の対角線方向に隣り合う他の表示装置の画面を含まないものとする。
【００１３】
例えば、本発明のキャリブレーション実施方法における前記センサ設定工程では、前記キャリブレーションの対象となる表示装置の画面と隣り合うキャリブレーションが終了した他の表示装置が無かった場合に、前記キャリブレーションセンサの検出位置を前記キャリブレーションの対象となる表示装置の画面中央に設定している。
【００１９】
あるいは、本発明のキャリブレーション実施方法における前記順位設定工程では、前記隣り合う他の表示装置の画面の数が最大となる複数の表示装置の画面がある場合は、前記隣り合う他の表示装置の画面の数が最大となる前記各表示装置の画面を選択して抽出し、この選択して抽出した各表示装置別に、隣り合う他の表示装置の画面の数を求め、隣り合う他の表示装置の画面の数が多くなる程、前記表示装置の画面のキャリブレーションを行う順位を高く設定している。
【００２０】
これにより、多数の表示装置を配列したマルチディスプレイ装置であっても、各表示装置の画面のキャリブレーションを行う順位を適確に設定することができる。
【００２１】
例えば、本発明のキャリブレーション実施方法においては、前記キャリブレーションの対象となる表示装置の画面におけるキャリブレーションセンサの検出位置が複数の場合は、複数のキャリブレーションセンサを前記各検出位置にそれぞれ配置して用いる。
【００２２】
あるいは、本発明のキャリブレーション実施方法においては、前記キャリブレーションの対象となる表示装置の画面におけるキャリブレーションセンサの検出位置が複数の場合は、単一のキャリブレーションセンサを前記各検出位置に逐次移動配置して用いる。
【００２３】
この場合は、単一のキャリブレーションセンサだけで、キャリブレーションを実施することができる。
【００２４】
また、本発明のキャリブレーション実施方法における前記センサ設定工程では、前記キャリブレーションの対象となる表示装置の画面におけるキャリブレーションセンサの検出位置の数を、前記表示装置の画面と隣り合うキャリブレーションを終了した他の表示装置の数以上に設定している。
【００２５】
これにより、キャリブレーションの対象となる表示装置の画面において、キャリブレーションセンサの検出位置として、隣り合うキャリブレーションを終了した他の表示装置の数に応じたそれぞれの箇所を設定し、これらの箇所の色度や輝度を検出して調整することができ、これらの箇所の色度や輝度をキャリブレーションを終了した他の表示装置の画面の色度や輝度に近づけることができる。
【００２６】
更に、本発明のキャリブレーション実施方法においては、前記コンピュータは、前記キャリブレーションの対象となる表示装置の画面にキャリブレーションの検出位置の指標を表示している。
【００２７】
これにより、キャリブレーションセンサを適確な位置に容易に配置することができる。
【００２８】
一方、本発明のキャリブレーション実施システムは、複数の表示装置の画面を縦もしくは横に配列してなるマルチディスプレイ装置のキャリブレーションを行うキャリブレーション実施システムであって、キャリブレーションセンサと、キャリブレーションの対象となる表示装置の画面と隣り合うキャリブレーションが終了した他の表示装置の有無に応じて前記キャリブレーションの対象となる表示装置の画面における前記キャリブレーションセンサの少なくとも１つの検出位置を設定し、前記設定された検出位置に配置された前記キャリブレーションセンサの検出出力に基づき前記キャリブレーションの対象となる表示装置の画面のキャリブレーションを行うコンピュータとを備え、  前記コンピュータは、前記各表示装置別に、隣り合う他の表示装置の画面の数を求め、前記隣り合う他の表示装置の画面の数が多くなる程、前記表示装置の画面のキャリブレーションを行う順位を高く設定し、前記設定された順位に従って前記キャリブレーションの対象となる表示装置の画面を選択し、前記キャリブレーションの対象となる表示装置の画面と隣り合うキャリブレーションが終了した他の表示装置が有った場合に、前記キャリブレーションセンサの検出位置を前記キャリブレーションの対象となる表示装置の画面における該画面中央よりもキャリブレーションを終了した他の表示装置の画面の近くと画面中央に設定する。
【００２９】
このような本発明のキャリブレーション実施システムにおいても、上記本発明のキャリブレーション実施方法と同様の作用効果を奏する。
【発明の効果】
【００３０】
このような本発明では、キャリブレーションの対象となる表示装置の画面と隣り合うキャリブレーションが終了した他の表示装置が有った場合は、キャリブレーションの対象となる表示装置の画面において、キャリブレーションセンサの検出位置としてキャリブレーションが終了した他の表示装置の画面に近接する箇所を設定して、この近接する箇所の色度や輝度を調整することができ、その近接する箇所の色度や輝度を他の表示装置の画面の色度や輝度に近づけて、各表示装置の画面間の色度や輝度のムラを効果的に抑制することができる。キャリブレーションの対象となる表示装置の画面と隣り合うキャリブレーションが終了した他の表示装置が無かった場合は、キャリブレーションの対象となる表示装置の画面の中央箇所等をキャリブレーションセンサの検出位置として設定して、表示装置の画面の中央箇所の色度や輝度を適宜に調整すればよい。
【００３１】
また、複数のキャリブレーションセンサを用いる場合であっても、各キャリブレーションセンサにより検出された色度や輝度の平均値に基づき表示装置の画面のキャリブレーションを行えば、キャリブレーションのための演算処理が複雑化することはない。
【図面の簡単な説明】
【００３２】
【図１】本発明のキャリブレーション実施システムの一実施形態を概略的に示す図である。
【図２】図１のキャリブレーション実施システムにおける各表示装置及びパーソナルコンピュータ（ＰＣ）の構成を示すブロック図である。
【図３】ＰＣによるキャリブレーションの実施手順の概略を示すフローチャートである。
【図４】ＰＣの表示部の画面に表示され、各表示装置の画面の配列を設定するために用いられるウィンドウを例示する図である。
【図５】各表示装置の画面別に、表示装置の画面の上下左右に他の表示装置の画面が有るか否かを示す入力データを例示する図である。
【図６】（ａ）は、２０台の各表示装置の画面別に、隣り合う他の表示装置の台数を記した図表であり、（ｂ）は、（ａ）において隣り合う他の表示装置の台数が最大となる６台の各表示装置を抽出して、この抽出した各表示装置の画面別に、隣り合う他の表示装置の台数を記した図表である。
【図７】各表示装置の画面別に、表示装置の画面におけるキャリブレーションセンサが配置される箇所を示す図である。
【図８】ＰＣの表示部の画面に表示され、各表示装置の画面のキャリブレーションの結果を記したウィンドウを例示する図である。
【図９Ａ】図３のフローチャートにおける各表示装置の優先順位を自動的に設定するための処理を詳しく示すフローチャートである。
【図９Ｂ】図９Ａに引き続く処理を示すフローチャートである。
【図１０】（ａ）〜（ｄ）は、各表示装置の画面の配列を例示する図である。
【図１１】図９Ｂのフローチャートにおける優先順位「２」以降を自動的に設定するための処理を詳しく示すフローチャートである。
【図１２】図３のフローチャートにおける表示装置の画面におけるキャリブレーションセンサの少なくとも１つの検出位置を求めて設定するための処理を詳しく示すフローチャートである。
【図１３】、表示装置の画面のキャリブレーションを実施するための処理を詳しく示すフローチャートである。
【発明を実施するための形態】
【００３３】
以下、本発明の実施形態を添付図面を参照して詳細に説明する。
【００３４】
図１は、本発明のキャリブレーション実施システムの一実施形態を概略的に示す図である。本実施形態のキャリブレーション実施システムＣＳは、例えば６台の各表示装置ｍ１〜ｍ６の画面を縦横に配列してなるマルチディスプレイ装置ＭＤのキャリブレーションを行うものであり、各表示装置ｍ１〜ｍ６の画面の色度、輝度、ガンマ値等を検出する複数のキャリブレーションセンサ１と、各キャリブレーションセンサ１の検出出力に基づき各表示装置ｍ１〜ｍ６の画面のキャリブレーションを実施するコンピュータ（以下ＰＣと称す）３とを備えている。
【００３５】
各キャリブレーションセンサ１は、例えばセンサに内蔵の受光素子により画面の光を受光して、画面の色度、輝度、ガンマ値等を検出するものであり、市販されている汎用品の適用が可能である。各キャリブレーションセンサ１は、それぞれのケーブル２を通じてＰＣ３に接続されており、利用者により各表示装置ｍ１〜ｍ６の画面に配置されて用いられる。各キャリブレーションセンサ１は、各表示装置ｍ１〜ｍ６の画面の輝度、色度、及びガンマ値等（以下、表示調整値とも称する）を測定検出して、各表示装置ｍ１〜ｍ６の画面の表示調整値を示す検出出力を出力する。
【００３６】
各表示装置ｍ１〜ｍ６の画面の表示調整値の検出は、少なくとも１つのキャリブレーションセンサ１により行われ、また各表示装置ｍ１〜ｍ６別に予め設定された順位で行われる。
【００３７】
ＰＣ３は、各表示装置ｍ１〜ｍ６をキャリブレーションの対象として予め設定された順位で選択し、選択した表示装置の画面の表示調整値が少なくとも１つのキャリブレーションセンサ１により検出されると、キャリブレーションセンサ１の検出出力によって示される表示調整値を取得し、表示装置の画面の表示調整値が予め設定された目標値となるようにケーブル２を通じて表示装置を制御する。すなわち、ＰＣ３は、各表示装置ｍ１〜ｍ６を順次選択し、その度に、表示装置の画面の輝度、色度、及びガンマ値等を予め設定されたそれぞれの目標値に調整する。これにより、各表示装置ｍ１〜ｍ６の画面間の輝度、色度、及びガンマ値等の差異が低減される。
【００３８】
ところで、各表示装置ｍ１〜ｍ６のいずれについても、画面全体では表示調整値（輝度、色度、及びガンマ値等）が均一でないことが多く、このため、例えば各表示装置ｍ１〜ｍ６の画面中央の表示調整値が目標値となるようにキャリブレーションを行っても、隣り合う２つの表示装置の相互に近接するそれぞれの画面周辺では一方の表示調整値が高くかつ他方の表示調整値が低くなることがあり、この場合には各表示装置の画面間で表示ムラが目立つ。
【００３９】
そこで、本実施形態のキャリブレーション実施システムＣＳでは、各表示装置ｍ１〜ｍ６別に、画面におけるキャリブレーションセンサ１の検出位置（配置位置）を適宜に変更し、つまり画面における表示調整値を検出して調整する位置を適宜に変更し、これにより各表示装置の画面間の表示ムラが目立たないようにしている。
【００４０】
次に、そのようなキャリブレーションを実施するための各表示装置ｍ１〜ｍ６及びＰＣ３の構成を説明する。
【００４１】
図２は、各表示装置ｍ１〜ｍ６及びＰＣ３の構成を示すブロック図である。図２において、各表示装置ｍ１〜ｍ６は、液晶ディスプレイパネル等からなる表示部１１と、表示部１１を表示駆動する表示駆動部１２と、ケーブル２を通じてＰＣ３に接続され、ＰＣ３との間でデータ通信を行う通信部１３と、操作キー等からなる操作部１４と、ＨＤＤ、ＲＯＭ、ＲＡＭ等からなる記憶部１５と、表示装置全体を統括的に制御する制御部１６とを備えている。
【００４２】
通信部１３は、ＲＳ−２３２Ｃ、ＵＳＢ、有線ＬＡＮ、無線ＬＡＮ、ＨＤＭＩ（登録商標）、ＣＥＣ（登録商標）等に準拠する通信方式によりＰＣ３との間でデータ通信を行う。
【００４３】
制御部１６は、ＣＰＵ等からなり、各種のコマンドを処理するコマンド処理部２１、各表示装置ｍ１〜ｍ６の画面に表示されるキャリブレーション用パターン等を生成するパターン生成部２２、各表示装置ｍ１〜ｍ６の表示部１１の画面の表示調整値（輝度、色度、及びガンマ値等）を調整設定する映像調整部２３、及び操作部１４の操作により入力された指示を実行する操作処理部２４等を含んでいる。
【００４４】
一方、ＰＣ３は、液晶ディスプレイパネル等からなる表示部３１と、ケーブル２を通じて各表示装置ｍ１〜ｍ６及び各キャリブレーションセンサ１に接続され、各表示装置ｍ１〜ｍ６及び各キャリブレーションセンサ１との間でデータ通信を行う通信部３３と、操作キー等からなる操作部３４と、ＨＤＤ、ＲＯＭ、ＲＡＭ等からなる記憶部３５と、ＰＣ３を統括的に制御する制御部３６とを備えている。
【００４５】
通信部３３は、ＲＳ−２３２Ｃ、ＵＳＢ、有線ＬＡＮ、無線ＬＡＮ、ＨＤＭＩ（登録商標）、ＣＥＣ（登録商標）等に準拠する通信方式により各表示装置ｍ１〜ｍ６及び各キャリブレーションセンサ１との間でデータ通信を行う。
【００４６】
制御部３６は、ＣＰＵ等からなり、マルチディスプレイ装置ＭＤにおける各表示装置ｍ１〜ｍ６の画面の配列等を設定するマルチディスプレイ情報入力処理部４１、各表示装置ｍ１〜ｍ６の画面におけるキャリブレーションセンサ１の検出位置を設定する検出位置処理部４２、キャリブレーションセンサ１の検出出力によって示される表示調整値（輝度、色度、及びガンマ値等）を取得する表示調整値処理部４３、その取得した輝度、色度、及びガンマ値等をそれぞれの目標値に調整設定するためのそれぞれの調整量を求めるキャリブレーション処理部４４、及び各調整量を示す制御コマンドを生成するコマンド生成部４５等を含んでいる。
【００４７】
次に、図３のフローチャート等を参照しつつ、ＰＣ３によるキャリブレーションの実施手順の概略を説明する。尚、ここでは、図１に示すように配列された各表示装置ｍ１〜ｍ６を代表例に挙げて説明する。
【００４８】
まず、利用者は、ＰＣ３の操作部３４を操作して、マルチディスプレイ装置ＭＤを構成する各表示装置ｍ１〜ｍ６の画面の配列を設定するためのウィンドウの表示を指示する。制御部３６のマルチディスプレイ情報入力処理部４１は、操作部３４の操作によるウィンドウの表示の指示に応答して、図４に示すようなウィンドウＷ１を表示部３１の画面に表示する（ステップＳ１０１）。
【００４９】
図４に示すウィンドウＷ１では、利用者による操作部３４の操作で、マルチディスプレイ装置ＭＤを構成する各表示装置ｍ１〜ｍ６の横の配列数「３」と縦の配列数「２」がそれぞれのセレクトボックスｂ１、ｂ２で選択される。これに応答して制御部３６のマルチディスプレイ情報入力処理部４１は、横方向で３列及び縦方向で２列の各表示装置ｍ１〜ｍ６の配列をウィンドウＷ１のボックスｂ３に表示し、また横方向をＸ方向とし、縦方向をＹ方向とした座標系における表示装置ｍ１の座標位置（１，１）、表示装置ｍ２の座標位置（２，１）、表示装置ｍ３の座標位置（３，１）、表示装置ｍ４の座標位置（１，２）、表示装置ｍ５の座標位置（２，２）、表示装置ｍ６の座標位置（３，２）を設定する。更に、利用者による操作部３４の操作で、各表示装置ｍ１〜ｍ６の識別番号ＩＤ１〜ＩＤ６がボックスｂ４に記入される。尚、各表示装置ｍ１〜ｍ６の識別番号ＩＤ１〜ＩＤ６を該各表示装置ｍ１〜ｍ６の配列順序に従って自動的に割り当ててボックスｂ４に記入してもよい。
【００５０】
引き続いて、操作部３４の操作により、各表示装置ｍ１〜ｍ６別に、表示装置の画面の上、右、下、左に他の表示装置が有るか否かを入力する。例えば、図５に示すように識別番号ＩＤ１の表示装置ｍ１については、「上、右、下、左」と「無、有、有、無」とを対応付けて入力する。また、識別番号ＩＤ２の表示装置ｍ２については、「上、右、下、左」と「無、有、有、有」とを対応付けて入力する。更に、識別番号ＩＤ３の表示装置ｍ３については、「上、右、下、左」と「無、無、有、有」とを対応付けて入力する。また、識別番号ＩＤ４の表示装置ｍ４については、「上、右、下、左」と「有、有、無、無」とを対応付けて入力する。更に、識別番号ＩＤ５の表示装置ｍ５については、「上、右、下、左」と「有、有、無、有」とを対応付けて入力する。また、識別番号ＩＤ６の表示装置ｍ６については、「上、右、下、左」と「有、無、無、有」とを対応付けて入力する（ステップＳ１０２）。尚、操作部３４の操作により上、右、下、左の他の表示装置の有無を入力する代わりに、制御部３６のマルチディスプレイ情報入力処理部４１により上、右、下、左の他の表示装置の有無を判定しても構わない。例えば、各表示装置ｍ１〜ｍ６の座標位置（Ｘ，Ｙ）に基づいて、各表示装置ｍ１〜ｍ６別に、上、右、下、左の他の表示装置の有無を判定することができる。
【００５１】
そして、制御部３６のマルチディスプレイ情報入力処理部４１は、各表示装置ｍ１〜ｍ６別に、表示装置の座標位置、識別番号、上、右、下、左の他の表示装置の有無を対応付けて記憶部３５に記憶する。
【００５２】
引き続いて、利用者による操作部３４の操作で、各表示装置ｍ１〜ｍ６の画面のうちからキャリブレーションを優先的に実施する表示装置の画面を選択設定する。例えば、マルチディスプレイ装置ＭＤの視聴ポイントが決まっている場合は、視聴ポイントに近い表示装置の画面を、キャリブレーションを優先的に実施すべきものとして選択設定する（ステップＳ１０３）。制御部３６のマルチディスプレイ情報入力処理部４１は、その選択された表示装置の座標位置及び識別番号等を優先的に実施すべきものとして記憶部３５に記憶する。
【００５３】
また、ステップＳ１０３においては、利用者による操作部３４の操作で、任意の優先順位設定条件を設定することができる。例えば、隣り合う他の表示装置の画面の数が同一となった各表示装置については、下側の表示装置の優先順位Ｎを上側の表示装置の優先順位Ｎよりも高く設定し、かつ右側の表示装置の優先順位Ｎを左側の表示装置の優先順位Ｎよりも高く設定するという任意の優先順位設定条件を設定することができる。
【００５４】
あるいは、任意の優先順位設定条件が設定されなかった場合は、デフォルトの優先順位設定条件を自動的に設定する。例えば、隣り合う他の表示装置の画面の数が同一となった各表示装置については、上側の表示装置の優先順位Ｎを下側の表示装置の優先順位Ｎよりも高く設定し、かつ左側の表示装置の優先順位Ｎを右側の表示装置の優先順位Ｎよりも高く設定するというデフォルトの優先順位設定条件を自動的に設定する。尚、ステップＳ１０３を省略しても構わない。
【００５５】
尚、隣り合う他の表示装置の画面とは、任意の表示装置の画面の各辺に隣り合う他の表示装置の画面であり、任意の表示装置の画面の対角線方向に隣り合う他の表示装置の画面を含まないものとする。
【００５６】
次に、制御部３６のマルチディスプレイ情報入力処理部４１は、各表示装置ｍ１〜ｍ６の優先順位Ｎを設定し、各表示装置ｍ１〜ｍ６の優先順位Ｎをそれぞれの表示装置の座標位置及び識別番号等に対応付けて記憶部３５に記憶する（ステップＳ１０４、順位設定工程）。詳しくは、記憶部３５に記憶した図５に示すようなデータを参照して、表示装置ｍ１〜ｍ６別に、隣り合う他の表示装置の画面の数を求め、隣り合う他の表示装置の画面の数が多くなる程、表示装置の画面のキャリブレーションを行う順位を高く設定する。ここでは、表示装置ｍ１に隣り合う他の表示装置の画面の数が「２」であり、表示装置ｍ２に隣り合う他の表示装置の画面の数が「３」であり、表示装置ｍ３に隣り合う他の表示装置の画面の数が「２」であり、表示装置ｍ４に隣り合う他の表示装置の画面の数が「２」であり、表示装置ｍ５に隣り合う他の表示装置の画面の数が「３」であり、表示装置ｍ６に隣り合う他の表示装置の画面の数が「２」である。従って、隣り合う他の表示装置の画面の数が「３」である各表示装置ｍ２、ｍ５の優先順位Ｎが高く、また隣り合う他の表示装置の画面の数が「２」である各表示装置ｍ１、ｍ３、ｍ４、ｍ６の優先順位Ｎが低くなる。
【００５７】
ただし、各表示装置ｍ２、ｍ５については、隣り合う他の表示装置の画面の数が同一であり、各表示装置ｍ１、ｍ３、ｍ４、ｍ６についても、隣り合う他の表示装置の画面の数が同一である。このため、隣り合う他の表示装置の画面の数が同一となった各表示装置については、先に述べたデフォルトの優先順位設定条件に従って、上側の表示装置の優先順位Ｎを下側の表示装置の優先順位Ｎよりも高く設定し、かつ左側の表示装置の優先順位Ｎを右側の表示装置の優先順位Ｎよりも高く設定する。この場合は、表示装置ｍ２の優先順位Ｎが「１」となり、表示装置ｍ５の優先順位Ｎが「２」となり、表示装置ｍ１の優先順位Ｎが「３」となり、表示装置ｍ３の優先順位Ｎが「４」となり、表示装置ｍ４の優先順位Ｎが「５」となり、表示装置ｍ６の優先順位Ｎが「６」となる（ｍ２＞ｍ５＞ｍ１＞ｍ３＞ｍ４＞ｍ６）。
【００５８】
あるいは、先に述べた任意の優先順位設定条件に従って、下側の表示装置の優先順位Ｎを上側の表示装置の優先順位Ｎよりも高く設定し、かつ右側の表示装置の優先順位Ｎを左側の表示装置の優先順位Ｎよりも高く設定してもよい。この場合は、表示装置ｍ５の優先順位Ｎが「１」となり、表示装置ｍ２の優先順位Ｎが「２」となり、表示装置ｍ６の優先順位Ｎが「３」となり、表示装置ｍ４の優先順位Ｎが「４」となり、表示装置ｍ３の優先順位Ｎが「５」となり、表示装置ｍ１の優先順位Ｎが「６」となる（ｍ５＞ｍ２＞ｍ６＞ｍ４＞ｍ３＞ｍ１）。
【００５９】
また、優先順位Ｎが最も高い各表示装置の数が「６」以上の場合は、これらの表示装置を選択して、この選択した各表示装置別に、隣り合う他の表示装置の画面の数を求め、隣り合う他の表示装置の画面の数が多くなる程、優先順位Ｎを高く設定しても構わない。例えば、図６（ａ）に示すように２０台の各表示装置ｍを縦横４×５列で配列したマルチディスプレイ装置では、中央６台の各表示装置ｍのいずれも、隣り合う他の表示装置の画面の数が「４」となるので、図６（ｂ）に示すように中央６台の各表示装置ｍを選択して、この選択した各表示装置ｍ別に、隣り合う他の表示装置の画面の数を求め、隣り合う他の表示装置の画面の数が多くなる程、優先順位Ｎを高く設定する。そして、優先順位Ｎが同一となった各表示装置ｍについては、更に優先順位設定条件に従って優先順位Ｎを設定する。
【００６０】
尚、任意の表示装置の優先順位Ｎを最も高く設定し、以降の優先順位Ｎについては、表示装置により近くかつ隣り合う他の表示装置の画面の数が多くなる程、優先順位Ｎを高く設定してもよい。例えば、図４の各表示装置ｍ１〜ｍ６において、表示装置ｍ１の優先順位Ｎを「１」に設定し、各表示装置ｍ２、ｍ５のうちの表示装置ｍ１により近い表示装置ｍ２の優先順位Ｎを「２」に設定し、より遠い表示装置ｍ５の優先順位Ｎを「３」に設定し、また表示装置ｍ４の優先順位Ｎを「４」に設定し、更に各表示装置ｍ３、ｍ６のうちの表示装置ｍ１により近い表示装置ｍ３の優先順位Ｎを「５」に設定し、より遠い表示装置ｍ６の優先順位Ｎを「６」に設定する（ｍ１＞ｍ２＞ｍ５＞ｍ４＞ｍ３＞ｍ６）。
【００６１】
こうして各表示装置ｍ１〜ｍ６の画面のキャリブレーションを実施する優先順位Ｎが設定され、各表示装置ｍ１〜ｍ６の優先順位Ｎがそれぞれの表示装置の座標位置及び識別番号等に対応付けて記憶部３５に記憶される。
【００６２】
この後、制御部３６の検出位置処理部４２は、最も高い優先順位Ｎの表示装置を選択して（ステップＳ１０５）、この選択した表示装置の画面と隣り合うキャリブレーションが終了した他の表示装置の有無に応じてその選択した表示装置の画面におけるキャリブレーションセンサ１の少なくとも１つの検出位置を求めて設定する（ステップＳ１０６、センサ設定工程）。制御部３６のコマンド生成部４５は、その選択した表示装置の画面における少なくとも１つの検出位置にセンサ位置指定パターンを表示するべく、その検出位置へのセンサ位置指定パターンの表示を指示するパターン表示コマンドを生成して、このパターン表示コマンドを通信部３３からケーブル２を通じてその最も高い優先順位Ｎの表示装置へと送信する。
【００６３】
例えば、表示装置ｍ２の優先順位Ｎが「１」、表示装置ｍ５の優先順位Ｎが「２」、表示装置ｍ１の優先順位Ｎが「３」、表示装置ｍ３の優先順位Ｎが「４」、表示装置ｍ４の優先順位Ｎが「５」、表示装置ｍ６の優先順位Ｎが「６」とすると（ｍ２＞ｍ５＞ｍ１＞ｍ３＞ｍ４＞ｍ６）、最も高い優先順位Ｎの表示装置ｍ２を選択し、図７に示すようにその選択された表示装置ｍ２の画面と隣り合うキャリブレーションが終了した他の表示装置が無いことから、表示装置ｍ２の画面の中央箇所Ｐ１だけをキャリブレーションセンサ１の検出位置として求め、この表示装置ｍ２の画面の中央箇所Ｐ１にセンサ位置指定パターンを表示することを指示するパターン表示コマンドを表示装置ｍ２に送信する。
【００６４】
表示装置ｍ２では、パターン表示コマンドを通信部１３で受信して制御部１６のコマンド処理部２１に入力する。制御部１６のコマンド処理部２１は、パターン表示コマンドを解析して、センサ位置指定パターンを取得し、センサ位置指定パターンをパターン生成部２２に与える。パターン生成部２２は、センサ位置指定パターンを表示駆動部１２を通じて表示装置ｍ２の表示部１１の画面の中央箇所Ｐ１に表示する。このとき、利用者は、表示装置ｍ２の画面の中央箇所Ｐ１に表示されたセンサ位置指定パターンを見て、このセンサ位置指定パターンの位置にキャリブレーションセンサ１を配置し、キャリブレーションセンサ１をオンにする。また、利用者は、ＰＣ３の操作部３４を操作して、表示装置のキャリブレーションの開始を指示する。
【００６５】
ＰＣ３では、操作部３４の操作により表示装置のキャリブレーションの開始が指示されると、これに応答してコマンド生成部４５は、キャリブレーション用表示パターンを表示することを指示するキャリブレーションコマンドを生成して、このキャリブレーションコマンドを通信部３３からケーブル２を通じて表示装置ｍ２へと送信する。
【００６６】
表示装置ｍ２では、キャリブレーションコマンドを通信部１３で受信して制御部１６のコマンド処理部２１に入力する。制御部１６のコマンド処理部２１は、キャリブレーションコマンドを解析して、キャリブレーション用表示パターンを取得し、キャリブレーション用表示パターンをパターン生成部２２に与える。パターン生成部２２は、キャリブレーション用表示パターンを表示駆動部１２を通じて表示部１１の画面に表示する。このとき、キャリブレーションセンサ１は、表示部１１の画面中央箇所Ｐ１の表示調整値（輝度、色度、及びガンマ値等）を検出し、この表示調整値を示す検出出力をケーブル２を通じてＰＣ３へと出力する。
【００６７】
ＰＣ３では、表示装置ｍ２の画面の表示調整値を示す検出出力を通信部３３で受信して制御部３６の表示調整値処理部４３に入力する。表示調整値処理部４３は、キャリブレーションセンサ１の検出出力から表示装置ｍ２の画面中央箇所Ｐ１の表示調整値（輝度、色度、及びガンマ値等）を取得し、この表示調整値をキャリブレーション処理部４４に与える。キャリブレーション処理部４４は、表示装置ｍ２の画面中央箇所Ｐ１で検出された表示調整値に基づき、輝度、色度、及びガンマ値等をそれぞれの目標値に調整設定するための輝度、色度、及びガンマ値等の調整量を求め、これらの調整量をコマンド生成部４５に与える。コマンド生成部４５は、輝度、色度、及びガンマ値等の調整量を示す表示調整値制御コマンドを生成し、この表示調整値制御コマンドを通信部３３からケーブル２を通じて表示装置ｍ２へと送信する（ステップＳ１０７、キャリブレーション工程）。また、表示調整値処理部４３は、表示装置ｍ２の画面の輝度、色度、及びガンマ値等の調整量を記憶部３５に記憶する（ステップＳ１０８）。
【００６８】
表示装置ｍ２では、表示調整値制御コマンドを通信部１３で受信して制御部１６のコマンド処理部２１に入力する。制御部１６のコマンド処理部２１は、表示調整値制御コマンドを解析して、輝度、色度、及びガンマ値等の調整量を取得し、これらを映像調整部２３に与える。映像調整部２３は、輝度、色度、及びガンマ値等の調整量だけ、表示部１１の画面の輝度、色度、及びガンマ値等を調整変更する。これにより、表示部１１の画面中央箇所Ｐ１の輝度、色度、及びガンマ値等がそれぞれの目標値に調整され、画面のキャリブレーションが終了する。
【００６９】
引き続いて、ＰＣ３の制御部３６は、図４の各表示装置ｍ１〜ｍ６の画面全てのキャリブレーションが終了したか否かを判定し（ステップＳ１０９）、表示装置ｍ２の画面のキャリブーションを終了しただけであるから（ステップＳ１０９で「Ｙｅｓ」）、ステップＳ１０５に戻って、優先順位Ｎ「２」の表示装置ｍ５を選択する。
【００７０】
そして、図７に示すように優先順位Ｎ「２」の表示装置ｍ５の画面と隣り合うキャリブレーションが終了した他の表示装置ｍ２が存在することから、表示装置ｍ５の画面の中央箇所Ｐ２と、キャリブレーションが終了した他の表示装置ｍ２と隣り合う表示装置ｍ５の画面の周辺箇所Ｐ３とをキャリブレーションセンサ１の検出位置として求め（ステップＳ１０６）、この表示装置ｍ５の画面の中央箇所Ｐ２と周辺箇所Ｐ３にそれぞれのセンサ位置指定パターンを表示することを指示するパターン表示コマンドを表示装置ｍ５に送信する。
【００７１】
表示装置ｍ５では、パターン表示コマンドを受信して解析し、表示部１１の画面の中央箇所Ｐ２と周辺箇所Ｐ３にそれぞれのセンサ位置指定パターンを表示する。利用者は、各センサ位置指定パターンの位置に２つのキャリブレーションセンサ１を配置する。
【００７２】
ＰＣ３では、操作部３４の操作により表示装置のキャリブレーションの開始が指示されると、キャリブレーション用表示パターンを表示することを指示するキャリブレーションコマンドを表示装置ｍ５に送信する。
【００７３】
表示装置ｍ５では、キャリブレーションコマンドを受信して解析し、キャリブレーション用表示パターンを表示部１１の画面に表示する。このとき、各キャリブレーションセンサ１は、表示部１１の画面中央箇所Ｐ２の表示調整値と周辺箇所Ｐ３の表示調整値とを検出し、これらの表示調整値を示す検出出力をケーブル２を通じてＰＣ３へと出力する。
【００７４】
ＰＣ３では、表示装置ｍ５の画面中央箇所Ｐ２の表示調整値と周辺箇所Ｐ３の表示調整値とを受信すると、これらの表示調整値（輝度、色度、及びガンマ値等）の平均値を求め、この平均値を目標値に調整設定するための表示調整値の調整量を求め、この調整量を示す表示調整値制御コマンドを表示装置ｍ２に送信する（ステップＳ１０７）。また、表示装置ｍ５の画面の表示調整値の調整量を記憶部３５に記憶する（ステップＳ１０８）。
【００７５】
表示装置ｍ５では、表示調整値制御コマンドを受信して解析し、表示調整値の調整量を取得し、この表示調整値の調整量だけ、表示部１１の画面の表示調整値を調整変更する。これにより、表示部１１の画面の中央箇所Ｐ２の表示調整値と周辺箇所Ｐ３の表示調整値とが目標値に近づくように調整され、画面のキャリブレーションが終了する。
【００７６】
引き続いて、ＰＣ３では、図４の各表示装置ｍ１〜ｍ６の画面全てのキャリブレーションが終了されたか否かを判定し（ステップＳ１０９）、キャリブレーションが終了していない表示装置が残っていれば、（ステップＳ１０９で「Ｙｅｓ」）、ステップＳ１０５に戻って、次の優先順位Ｎの表示装置を選択して、この選択した表示装置の画面のキャリブレーションを実施する（ステップＳ１０６〜Ｓ１０８）。
【００７７】
ここでは、表示装置ｍ５の画面のキャリブレーション終了以降に、表示装置ｍ１、表示装置ｍ３、表示装置ｍ４、表示装置ｍ６が優先順位Ｎに従って順次選択され、それぞれの画面のキャリブレーションが逐次実施される。表示装置ｍ１については、図７に示すように画面の中央箇所Ｐ４と、キャリブレーションが終了した他の表示装置ｍ２と隣り合う画面の周辺箇所Ｐ５とがキャリブレーションセンサ１の検出位置として求められ、画面の中央箇所Ｐ４と周辺箇所Ｐ５に２つのキャリブレーションセンサ１が配置され、各キャリブレーションセンサ１により表示部１１の画面中央箇所Ｐ４の表示調整値と周辺箇所Ｐ５の表示調整値とが検出され、これらの表示調整値の平均値が求められ、この平均値を目標値に調整設定するための表示調整値の調整量が求められ、この表示調整値の調整量だけ、表示部１１の画面の表示調整値が調整変更され、表示部１１の画面の中央箇所Ｐ４の表示調整値と周辺箇所Ｐ５の表示調整値とが目標値に近づくように調整される。同様に、表示装置ｍ３についても、画面の中央箇所Ｐ６と、キャリブレーションが終了した他の表示装置ｍ２と隣り合う画面の周辺箇所Ｐ７とがキャリブレーションセンサ１の検出位置として求められ、２つのキャリブレーションセンサ１により表示部１１の画面中央箇所Ｐ６の表示調整値と周辺箇所Ｐ７の表示調整値とが検出され、これらの表示調整値の平均値が求められ、この平均値を目標値に調整設定するための表示調整値の調整量が求められ、この表示調整値の調整量だけ、表示部１１の画面の表示調整値が調整変更され、表示部１１の画面の中央箇所Ｐ６の表示調整値と周辺箇所Ｐ７の表示調整値とが目標値に近づくように調整される。
【００７８】
また、表示装置ｍ４については、画面の中央箇所Ｐ８と、キャリブレーションが終了した他の表示装置ｍ１、ｍ５と隣り合う画面の周辺箇所Ｐ９、Ｐ１０とがキャリブレーションセンサ１の検出位置として求められ、画面の中央箇所Ｐ８と各周辺箇所Ｐ９、Ｐ１０に３つのキャリブレーションセンサ１が配置され、各キャリブレーションセンサ１により表示部１１の３箇所の表示調整値が検出され、これらの表示調整値の平均値が求められ、この平均値を目標値に調整設定するための表示調整値の調整量が求められ、この表示調整値の調整量だけ、表示部１１の画面の表示調整値が調整変更され、表示部１１の画面の３箇所の表示調整値が目標値に近づくように調整される。同様に、表示装置ｍ６についても、画面の中央箇所Ｐ１１と、キャリブレーションが終了した他の表示装置ｍ３、ｍ５と隣り合う画面の周辺箇所Ｐ１２、Ｐ１３とがキャリブレーションセンサ１の検出位置として求められ、３つのキャリブレーションセンサ１により表示部１１の３箇所の表示調整値が検出され、これらの表示調整値の平均値が求められ、この平均値を目標値に調整設定するための表示調整値の調整量が求められ、この表示調整値の調整量だけ、表示部１１の画面の表示調整値が調整変更され、表示部１１の画面の３箇所の表示調整値が目標値に近づくように調整される。
【００７９】
このように優先順位Ｎ「２」の表示装置ｍ５では、表示部１１の画面の中央箇所Ｐ２の表示調整値とキャリブレーションが終了した他の表示装置ｍ２と隣り合う画面の周辺箇所Ｐ３の表示調整値とが目標値に近づくように調整されるので、表示装置ｍ５の画面と表示装置ｍ２の画面との間の表示ムラが目立たなくなる。
【００８０】
また、優先順位Ｎ「３」の表示装置ｍ１では、画面の中央箇所Ｐ４の表示調整値と、キャリブレーションが終了した他の表示装置ｍ２と隣り合う画面の周辺箇所Ｐ５の表示調整値とが目標値に近づくように調整されるので、表示装置ｍ１の画面と表示装置ｍ２の画面との間の表示ムラが目立たなくなる。同様に、優先順位Ｎ「４」の表示装置ｍ３では、画面の中央箇所Ｐ６の表示調整値と、キャリブレーションが終了した他の表示装置ｍ２と隣り合う画面の周辺箇所Ｐ７の表示調整値とが目標値に近づくように調整されるので、表示装置ｍ３の画面と表示装置ｍ２の画面との間の表示ムラが目立たなくなる。
【００８１】
また、優先順位Ｎ「４」の表示装置ｍ４では、画面の中央箇所Ｐ８の表示調整値と、キャリブレーションが終了した他の表示装置ｍ１、ｍ５と隣り合う画面の周辺箇所Ｐ９、Ｐ１０の表示調整値とが目標値に近づくように調整されるので、表示装置ｍ４の画面と、表示装置ｍ１の画面と、表示装置ｍ５の画面との間の表示ムラが目立たなくなる。同様に、表示装置ｍ６では、画面の中央箇所Ｐ１１の表示調整値と、キャリブレーションが終了した他の表示装置ｍ３、ｍ５と隣り合う画面の周辺箇所Ｐ１２、Ｐ１３の表示調整値とが目標値に近づくように調整されるので、表示装置ｍ６の画面と、表示装置ｍ３の画面と、表示装置ｍ５の画面との間の表示ムラが目立たなくなる。
【００８２】
すなわち、マルチディスプレイ装置ＭＤにおいて、各表示装置ｍ１〜ｍ６の画面間の表示ムラが目立たなくなる。
【００８３】
また、複数のキャリブレーションセンサ１を用いているが、各キャリブレーションセンサ１により検出された表示調整値の平均値に基づき表示装置の画面のキャリブレーションを行っているので、キャリブレーションのための演算処理が複雑化することはない。
【００８４】
尚、各表示装置ｍ１〜ｍ６の画面のキャリブレーションを終了した後に、利用者によるＰＣ３の操作部３４の操作で、各表示装置ｍ１〜ｍ６の画面の表示調整値の表示が指示されると、これに応答して制御部３６は、図８に示すようなウィンドウＷ２を表示部３１の画面に表示する。
【００８５】
図８に示すウィンドウＷ２では、各表示装置ｍ１〜ｍ６の識別番号ＩＤ１〜ＩＤ６がボックスｂ１１に表示され、マルチディスプレイ装置ＭＤを構成する各表示装置ｍ１〜ｍ６の配列がボックスｂ１２に表示されている。操作部３４の操作により、ボックスｂ１１における各表示装置ｍ１〜ｍ６の識別番号ＩＤ１〜ＩＤ６のいずれかが指示されると、ボックスｂ１２におけるその指示された識別番号の表示装置の表示状態が変化し、その指示された識別番号の表示装置の表示調整値（輝度、色度、及びガンマ値等）がボックスｂ１３に表示される。このため、各表示装置ｍ１〜ｍ６の配列と表示調整値を確認することができる。
【００８６】
次に、図９Ａ、図９Ｂのフローチャートを参照しつつ、図３のフローチャートにおける各表示装置の優先順位Ｎを自動的に設定するためのステップＳ１０４の処理（制御部３６のマルチディスプレイ情報入力処理部４１による処理）を詳しく説明する。尚、図９Ａ、図９Ｂの連結箇所には符号Ａ、Ｂ、Ｃを付している。また、ここでは図１０（ａ）〜（ｄ）に示すような各表示装置の配列を例に挙げて説明する。
【００８７】
まず、優先順位Ｎを「１」に初期設定し（ステップＳ２０１）、図３のステップＳ１０３において、キャリブレーションを優先的に実施する表示装置の画面あるいは任意の優先順位設定条件が選択設定されているか否かを判定する（ステップＳ２０２）。
【００８８】
そして、キャリブレーションを優先的に実施する表示装置の画面あるいは任意の優先順位設定条件が選択設定されていない場合は（ステップＳ２０２で「Ｎｏ」）、隣り合う他の表示装置の画面の数が最大となる表示装置の画面を求めて、この求めた表示装置の画面の配列を記憶部３５のメモリ領域Ａに記憶する（ステップＳ２０３）。例えば、図１０（ａ）に示すように３台の表示装置の画面ｄ１、ｄ２、ｄ３を１列に配列したマルチディスプレイ装置では、隣り合う他の表示装置の画面の数が最大（＝２）となる表示装置の画面ｄ２だけを求めて、画面ｄ２の配列を記憶部３５のメモリ領域Ａに記憶する。また、図１０（ｂ）に示すように６台の表示装置の画面ｄ１１〜ｄ１６を縦横２×３列に配列したマルチディスプレイ装置では、隣り合う他の表示装置の画面の数が最大（＝３）となる各表示装置の画面ｄ１２、ｄ１５を求めて、各画面ｄ１２、ｄ１５の配列を記憶部３５のメモリ領域Ａに記憶する。更に、図１０（ｃ）に示すように２０台の各表示装置を縦横４×５列で配列したマルチディスプレイ装置では、隣り合う他の表示装置の画面の数が最大（＝４）となる各表示装置の画面ｄ２７〜ｄ２９、ｄ３２〜ｄ３４を求めて、各表示装置の画面ｄ２７〜ｄ２９、ｄ３２〜ｄ３４の配列を記憶部３５のメモリ領域Ａに記憶する。
【００８９】
この後、記憶部３５のメモリ領域Ａにおける隣り合う他の表示装置の画面の数が最大となる表示装置の画面が複数か否かを判定する（ステップＳ２０４）。例えば、図１０（ａ）のマルチディスプレイ装置の場合は、単一の表示装置の画面ｄ２の配列を記憶部３５のメモリ領域Ａに記憶しているので、隣り合う他の表示装置の画面の数が最大となる表示装置の画面が複数ではないと判定して（ステップＳ２０４で「Ｎｏ」）、ステップＳ２０５に移る。そして、記憶部３５のメモリ領域Ａに記憶している単一の表示装置の画面ｄ２の優先順位Ｎを初期設定値の「１」に設定し（ステップＳ２０５）、優先順位Ｎが未だに設定されていない各表示装置の画面ｄ１、ｄ３が残されていることから（ステップＳ２０６で「Ｙｅｓ」）、優先順位Ｎを歩進して（ステップＳ２０７）、次の優先順位の表示装置の画面を求めて、その表示装置の画面の優先順位を設定する（ステップＳ２０８）。更に、ステップＳ２０６〜Ｓ２０８を繰返して、優先順位Ｎが設定されていない表示装置の画面が無くなると（ステップＳ２０６で「Ｎｏ」）、図９Ａ、図９Ｂの処理を終了する。
【００９０】
また、図１０（ｂ）のマルチディスプレイ装置の場合は、２台の表示装置の画面ｄ１２、ｄ１５の配列を記憶部３５のメモリ領域Ａに記憶しているので、隣り合う他の表示装置の画面の数が最大となる表示装置の画面が複数であると判定して（ステップＳ２０４で「Ｙｅｓ」）、ステップＳ２０９に移る。そして、メモリ領域Ａにおける各表示装置の画面について、隣り合う他の表示装置の画面の数が最大（＝１）となる表示装置の画面を求めて、この求めた表示装置の画面の配列を記憶部３５のメモリ領域Ｂに記憶する（ステップＳ２０９）。ここでは、２台の表示装置の画面ｄ１２、ｄ１５の配列を記憶部３５のメモリ領域Ｂにも記憶することになる。
【００９１】
従って、メモリ領域Ａにおける各表示装置の画面ｄ１２、ｄ１５の配列とメモリ領域Ｂにおける各表示装置の画面ｄ１２、ｄ１５の配列とが一致するという判定結果となる（ステップＳ２１０で「Ｙｅｓ」）。そして、隣り合う他の表示装置の画面の数が同一となった各表示装置については、上側の表示装置の優先順位Ｎを下側の表示装置の優先順位Ｎよりも高く設定し、かつ左側の表示装置の優先順位Ｎを右側の表示装置の優先順位Ｎよりも高く設定するというデフォルトの優先順位設定条件に従って、表示装置の画面ｄ１２を選択して、表示装置の画面ｄ１２の配列をメモリ領域Ａに上書きして、メモリ領域Ａを更新する（ステップＳ２１１）。
【００９２】
この後、記憶部３５のメモリ領域Ａに記憶している単一の表示装置の画面ｄ１２の優先順位Ｎを初期設定値の「１」に設定する（ステップＳ２０５）。そして、優先順位Ｎが設定されていない各表示装置の画面ｄ１１、ｄ１３〜ｄ１６があることから（ステップＳ２０６で「Ｙｅｓ」）、優先順位Ｎを歩進して（ステップＳ２０７）、次の優先順位の表示装置の画面を求めて、その表示装置の画面の優先順位を設定する（ステップＳ２０８）。更に、ステップＳ２０６〜Ｓ２０８を繰返して、優先順位Ｎが設定されていない表示装置の画面が無くなると（ステップＳ２０６で「Ｎｏ」）、図９Ａ、図９Ｂの処理を終了する。
【００９３】
また、図１０（ｃ）のマルチディスプレイ装置の場合は、６台の表示装置の画面ｄ２７〜ｄ２９、ｄ３２〜ｄ３４の配列を記憶部３５のメモリ領域Ａに記憶しているので、隣り合う他の表示装置の画面の数が最大となる表示装置の画面が複数であると判定し（ステップＳ２０４で「Ｙｅｓ」）、ステップＳ２０９に移る。そして、メモリ領域Ａにおける各表示装置の画面について、隣り合う他の表示装置の画面の数が最大となる表示装置の画面を求めて、この求めた表示装置の画面の配列を記憶部３５のメモリ領域Ｂに記憶する（ステップＳ２０９）。ここでは、図１０（ｄ）に示すように２台の表示装置の画面ｄ２８、ｄ３３の配列を記憶部３５のメモリ領域Ｂに記憶する。
【００９４】
従って、メモリ領域Ａにおける６台の表示装置の画面ｄ２７〜ｄ２９、ｄ３２〜ｄ３４の配列とメモリ領域Ｂにおける２台の表示装置の画面ｄ２８、ｄ３３の配列とが一致しないと判定することになる（ステップＳ２１０で「Ｎｏ」）。この場合、メモリ領域Ｂにおける各表示装置の画面ｄ２８、ｄ３３の配列をメモリ領域Ａに上書きして、メモリ領域Ａを更新してから（ステップＳ２１２）、ステップＳ２０４に戻る。
【００９５】
そして、隣り合う他の表示装置の画面の数が最大となる表示装置の画面が複数であると判定し（ステップＳ２０４で「Ｙｅｓ」）、メモリ領域Ａにおける各表示装置の画面について、隣り合う他の表示装置の画面の数が最大（＝１）となる表示装置の画面を求めて、つまり２台の表示装置の画面ｄ２８、ｄ３３の配列を求めて、２台の表示装置の画面ｄ２８、ｄ３３の配列を記憶部３５のメモリ領域Ｂに記憶する（ステップＳ２０９）。
【００９６】
このとき、メモリ領域Ａにおける各表示装置の画面ｄ２８、ｄ３３の配列とメモリ領域Ｂにおける各表示装置の画面ｄ２８、ｄ３３の配列とが一致するという判定結果となる（ステップＳ２１０で「Ｙｅｓ」）。そして、隣り合う他の表示装置の画面の数が同一となった各表示装置については、上側の表示装置の優先順位Ｎを下側の表示装置の優先順位Ｎよりも高く設定し、かつ左側の表示装置の優先順位Ｎを右側の表示装置の優先順位Ｎよりも高く設定するというデフォルトの優先順位設定条件に従って、表示装置の画面ｄ２８を選択して、表示装置の画面ｄ２８の配列をメモリ領域Ａに上書きして、メモリ領域Ａを更新する（ステップＳ２１１）。
【００９７】
この後、記憶部３５のメモリ領域Ａに記憶している単一の表示装置の画面ｄ２８の優先順位Ｎを初期設定値の「１」に設定する（ステップＳ２０５）。そして、優先順位Ｎが設定されていない各表示装置の画面ｄ２１〜ｄ２７、ｄ２９〜ｄ４０があることから（ステップＳ２０６で「Ｙｅｓ」）、優先順位Ｎを歩進して（ステップＳ２０７）、次の優先順位の表示装置の画面を求めて、その表示装置の画面の優先順位を設定する（ステップＳ２０８）。更に、ステップＳ２０６〜Ｓ２０８を繰返して、優先順位Ｎが設定されていない表示装置の画面が無くなると（ステップＳ２０６で「Ｎｏ」）、図９Ａ、図９Ｂの処理を終了する。
【００９８】
すなわち、ステップＳ２０１〜Ｓ２０５、Ｓ２０９〜Ｓ２１１では、優先順位Ｎを「１」に初期設定し、隣り合う他の表示装置の画面の数が最大となる表示装置の画面を求め、更に隣り合う他の表示装置の画面の数が最大となる表示装置の画面が「６」以上の場合は、これらの表示装置の中で、隣り合う他の表示装置の画面の数が最大となる表示装置の画面を求めて、隣り合う他の表示装置の画面の数が最大となる表示装置の画面を絞り込んで行き、デフォルトの優先順位設定条件に従って、１台の表示装置の画面を選択し、この選択した表示装置の画面の優先順位Ｎを初期設定値の「１」に設定している。そして、ステップＳ２０６〜Ｓ２０８では、優先順位Ｎを歩進して、次の優先順位の表示装置の画面を求めて、その表示装置の画面の優先順位を設定するという処理を繰返し、優先順位Ｎ「２」以降の表示装置の画面を求めて設定している。
【００９９】
一方、図３のステップＳ１０３において、利用者による操作部３４の操作で、キャリブレーションを優先的に実施する表示装置の画面あるいは任意の優先順位設定条件が選択設定されている場合は（ステップＳ２０２で「Ｙｅｓ」、キャリブレーションを優先的に実施する表示装置の画面が複数であるか否かを判定する（ステップＳ２１３）。
【０１００】
例えば、キャリブレーションを優先的に実施する表示装置の画面が単一であれば（ステップＳ２１３で「Ｎｏ」）、この表示装置の画面の配列を記憶部３５のメモリ領域Ａに記憶してから、ステップＳ２０５に移る。そして、記憶部３５のメモリ領域Ａに記憶しているその単一の表示装置の画面の優先順位Ｎを初期設定値の「１」に設定し（ステップＳ２０５）、優先順位Ｎが未だに設定されていない各表示装置の画面が残されていれば（ステップＳ２０６で「Ｙｅｓ」）、優先順位Ｎを歩進して（ステップＳ２０７）、次の優先順位の表示装置の画面を求めて、その表示装置の画面の優先順位を設定する（ステップＳ２０８）。更に、ステップＳ２０６〜Ｓ２０８を繰返して、優先順位Ｎが設定されていない表示装置の画面が無くなると（ステップＳ２０６で「Ｎｏ」）、図９Ａ、図９Ｂの処理を終了する。
【０１０１】
また、キャリブレーションを優先的に実施する表示装置の画面が複数である場合は（ステップＳ２１３で「Ｙｅｓ」）、これらの表示装置の画面の配列において隣り合う他の表示装置の画面の数が最大となる表示装置の画面を求めて、この求めた表示装置の画面の配列を記憶部３５のメモリ領域Ａに記憶してから（ステップＳ２１４）、メモリ領域Ａの各表示装置の配列を対象にして、先に述べたステップＳ２０４、Ｓ２０９、Ｓ２１０、Ｓ２１２を行う。あるいは、キャリブレーションを優先的に実施する表示装置の画面が設定されていなくても、任意の優先順位設定条件が設定されている場合は（ステップＳ２１３で「Ｙｅｓ」）、全ての表示装置の画面の配列において隣り合う他の表示装置の画面の数が最大となる表示装置の画面を求めて、この求めた表示装置の画面の配列を記憶部３５のメモリ領域Ａに記憶してから（ステップＳ２１４）、先に述べたステップＳ２０４、Ｓ２０９、Ｓ２１０、Ｓ２１２を行う。これにより、メモリ領域Ａにおける隣り合う他の表示装置の画面の数が最大となる表示装置の画面を絞り込んで行く。
【０１０２】
そして、図３のステップＳ１０３において、任意の優先順位設定条件が設定されていれば、この任意の優先順位設定条件に従って、表示装置の画面を選択し、この選択した表示画面の配列をメモリ領域Ａに上書きして、メモリ領域Ａを更新する（ステップＳ２１５）。
【０１０３】
更に、任意の優先順位設定条件により表示装置の画面が１つに絞り込まれたか否かを確認し（ステップＳ２１６）、表示装置の画面が１つに絞り込まれていれば（ステップＳ２１６で「Ｎｏ」）、直ちにステップＳ２０５に移り、また表示装置の画面が１つに絞り込まれていなければ（ステップＳ２１６で「Ｙｅｓ」）、デフォルトの優先順位設定条件に従って、表示装置の画面を１つに絞り込んで、この表示装置の画面の配列をメモリ領域Ａに上書きして、メモリ領域Ａを更新してから（ステップＳ２１１）、ステップＳ２０５に移る。
【０１０４】
そして、記憶部３５のメモリ領域Ａに記憶している単一の表示装置の画面の優先順位Ｎを初期設定値の「１」に設定し（ステップＳ２０５）、優先順位Ｎが設定されていない各表示装置の画面があれば（ステップＳ２０６で「Ｙｅｓ」）、優先順位Ｎを歩進して（ステップＳ２０７）、次の優先順位の表示装置の画面を求めて、その表示装置の画面の優先順位を設定する（ステップＳ２０８）。更に、ステップＳ２０６〜Ｓ２０８を繰返して、優先順位Ｎが設定されていない表示装置の画面が無くなると（ステップＳ２０６で「Ｎｏ」）、図９Ａ、図９Ｂの処理を終了する。
【０１０５】
次に、図１１のフローチャートを参照しつつ、図９Ｂのフローチャートにおける優先順位Ｎ「２」以降を自動的に設定するためのステップＳ２０８の処理（制御部３６のマルチディスプレイ情報入力処理部４１による処理）を詳しく説明する。尚、図１１の連結箇所には符号Ｄを付している。
【０１０６】
まず、隣り合う他の表示装置の画面の数が最大となる表示装置の画面（優先順位Ｎが既に設定された画面を除く）を求めて、この求めた表示装置の画面の配列を記憶部３５のメモリ領域Ａに記憶する（ステップＳ３０１）。
【０１０７】
そして、記憶部３５のメモリ領域Ａにおける隣り合う他の表示装置の画面の数が最大となる表示装置の画面が複数か否かを判定する（ステップＳ３０２）。例えば、記憶部３５のメモリ領域Ａにおける表示装置の画面が単一であった場合は（ステップＳ３０２で「Ｎｏ」）、記憶部３５のメモリ領域Ａに記憶している単一の表示装置の画面の優先順位Ｎを図９ＢのステップＳ２０７で設定された優先順位Ｎに設定して（ステップＳ３１０）、図１１の処理を終了する。
【０１０８】
また、記憶部３５のメモリ領域Ａにおける表示装置の画面が複数であった場合は（ステップＳ３０２で「Ｙｅｓ」）、メモリ領域Ａにおける各表示装置の画面について、隣り合う他の表示装置の画面の数が最大となる表示装置の画面（優先順位Ｎが既に設定された画面を除く）を求めて、この求めた表示装置の画面の配列を記憶部３５のメモリ領域Ｂに記憶する（ステップＳ３０３）。
【０１０９】
更に、メモリ領域Ａにおける各表示装置の画面の配列とメモリ領域Ｂにおける各表示装置の画面の配列とが一致するか否かを判定し（ステップＳ３０４）、一致すれば（ステップＳ３０４で「Ｙｅｓ」）、直ちにステップＳ３０６に移る。また、一致しなければ（ステップＳ３０４で「Ｎｏ」）、メモリ領域Ｂにおける各表示装置の画面の配列をメモリ領域Ａに上書きして、メモリ領域Ａを更新してから（ステップＳ３０５）、ステップＳ３０２に戻って、ステップＳ３０２〜Ｓ３０４を繰り返し、隣り合う他の表示装置の画面の数が最大となる表示装置の画面を絞り込んで、メモリ領域Ａにおける各表示装置の画面の配列とメモリ領域Ｂにおける各表示装置の画面の配列とが一致したときに（ステップＳ３０４で「Ｙｅｓ」）、ステップＳ３０６に移る。
【０１１０】
そして、図３のステップＳ１０３において、任意の優先順位設定条件が設定されているか否かを判定し（ステップＳ３０６）、任意の優先順位設定条件が設定されていなければ（ステップＳ３０６で「Ｎｏ」）、直ちにステップＳ３０８に移る。また、任意の優先順位設定条件が設定されていれば（ステップＳ３０６で「Ｙｅｓ」）、この任意の優先順位設定条件に従って、表示装置の画面を選択し、この選択した表示画面の配列をメモリ領域Ａに上書きして、メモリ領域Ａを更新してから（ステップＳ３０７）、ステップＳ３０８に移る。
【０１１１】
更に、任意の優先順位設定条件により表示装置の画面が１つに絞り込まれたか否かを確認し（ステップＳ３０８）、表示装置の画面が１つに絞り込まれていれば（ステップＳ３０８で「Ｎｏ」）、直ちにステップＳ３１０に移り、また表示装置の画面が１つに絞り込まれていなければ（ステップＳ３０８で「Ｙｅｓ」）、デフォルトの優先順位設定条件に従って、表示装置の画面を１つに絞り込んで、この表示装置の画面の配列をメモリ領域Ａに上書きして、メモリ領域Ａを更新してから（ステップＳ３０９）、ステップＳ３１０に移る。
【０１１２】
そして、記憶部３５のメモリ領域Ａに記憶している単一の表示装置の画面の優先順位Ｎを図９ＢのステップＳ２０７で設定された優先順位Ｎに設定して（ステップＳ３１０）、図１１の処理を終了する。
【０１１３】
このような図１１の処理は、図９ＢのステップＳ２０７において優先順位Ｎが歩進される度に、図９ＢのステップＳ２０８において実施され、優先順位Ｎ「２」以降がそれぞれの表示装置の画面に割り当てられて行く。
【０１１４】
次に、図１２のフローチャートを参照しつつ、図３のフローチャートにおける優先順位Ｎに従って選択された表示装置の画面と隣り合うキャリブレーションが終了した他の表示装置の有無に応じてその選択された表示装置の画面におけるキャリブレーションセンサ１の少なくとも１つの検出位置を求めて設定するためのステップＳ１０６の処理（制御部３６の検出位置処理部４２による処理）を詳しく説明する。
【０１１５】
まず、図３のステップＳ１０５において、優先順位Ｎに従って表示装置の画面が選択されると、この選択された表示装置の画面の優先順位Ｎが「１」であるか否かを判定し（ステップＳ４０１）、この選択された表示装置の画面の優先順位Ｎが「１」であれば（ステップＳ４０１で「Ｙｅｓ」）、この選択された表示装置の画面の中央箇所をキャリブレーションセンサ１の検出位置として求める（ステップＳ４０２）。
【０１１６】
また、この選択された表示装置の画面の優先順位Ｎが「２」以降であれば（ステップＳ４０１で「Ｎｏ」）、この選択された表示装置の画面の中央箇所と、キャリブレーションが終了した他の表示装置と隣り合うその選択された表示装置の画面の周辺箇所とをキャリブレーションセンサ１の検出位置として求める（ステップＳ４０３）。
【０１１７】
この結果、例えば、図７に示すような各表示装置ｍ１〜ｍ６の画面において、キャリブレーションセンサ１の検出位置となるそれぞれの箇所Ｐ１〜Ｐ１２が設定される。
【０１１８】
次に、図１３のフローチャートを参照しつつ、表示装置の画面のキャリブレーションを実施するための処理を詳しく説明する。このキャリブレーションは、図３のフローチャートにおけるステップＳ１０７の処理がトリガとなって開始され、表示装置ｍ１〜ｍ６、キャリブレーションセンサ１、及びＰＣ３により実施され、利用者の操作を必要とする。
【０１１９】
まず、図３のステップＳ１０５、Ｓ１０６において、優先順位Ｎに従って表示装置の画面が選択され、この選択された表示装置の画面におけるキャリブレーションセンサ１が配置される１乃至複数の箇所（検出位置）が設定されると、ＰＣ３のコマンド生成部４５は、その選択した表示装置の画面における１乃至複数の箇所にセンサ位置指定パターンを表示するべく、その１乃至複数の箇所へのセンサ位置指定パターンの表示を指示するパターン表示コマンドを生成して、このパターン表示コマンドを通信部３３からケーブル２を通じてその選択した表示装置へと送信する（ステップＳ５０１）。
【０１２０】
表示装置では、パターン表示コマンドを通信部１３で受信して制御部１６のコマンド処理部２１に入力する。制御部１６のコマンド処理部２１は、パターン表示コマンドを解析して、センサ位置指定パターンを取得し、１乃至複数の箇所へのセンサ位置指定パターンの表示をパターン生成部２２に指示する。パターン生成部２２は、センサ位置指定パターンを表示装置の表示部１１の画面におけるキャリブレーションセンサ１が配置される１乃至複数の箇所に表示する（ステップＳ５０２）。このとき、利用者は、表示装置の画面に表示されたセンサ位置指定パターンを見て、１乃至複数のセンサ位置指定パターンの位置にキャリブレーションセンサ１をそれぞれ配置して（ステップＳ５０３）、１乃至複数のキャリブレーションセンサ１をオンにする。また、利用者は、ＰＣ３の操作部３４を操作して、表示装置のキャリブレーションの開始を指示する（ステップＳ５０４）。
【０１２１】
ＰＣ３では、操作部３４の操作により表示装置のキャリブレーションの開始が指示されると、これに応答してコマンド生成部４５は、キャリブレーション用表示パターンの表示を指示するキャリブレーションコマンドを生成して、このキャリブレーションコマンドを通信部３３からケーブル２を通じて表示装置へと送信する（ステップＳ５０５）。
【０１２２】
表示装置では、ＰＣ３からのキャリブレーションコマンドを通信部１３で受信して制御部１６のコマンド処理部２１に入力する。制御部１６のコマンド処理部２１は、キャリブレーションコマンドを解析して、キャリブレーション用表示パターンを取得し、キャリブレーション用表示パターンの表示をパターン生成部２２に指示する。パターン生成部２２は、キャリブレーション用表示パターンを表示部１１の画面に表示する（ステップＳ５０６）。
【０１２３】
また、ＰＣ３のコマンド生成部４５は、表示装置の画面の表示調整値の検出コマンドを通信部３３からケーブル２を通じて１乃至複数のキャリブレーションセンサ１へと送信する（ステップＳ５０７）。
【０１２４】
１乃至複数のキャリブレーションセンサ１は、ＰＣ３からの検出コマンドを受信すると（ステップＳ５０８）、これに応答して表示部１１の画面におけるキャリブレーションセンサ１の配置箇所の表示調整値（輝度、色度、及びガンマ値等）を検出し（ステップＳ５０９）、この表示調整値を示す検出出力をケーブル２を通じてＰＣ３へと出力する（ステップＳ５１０）。
【０１２５】
ＰＣ３では、表示装置の画面の表示調整値を示す検出出力を通信部３３で受信して制御部３６の表示調整値処理部４３に入力する（ステップＳ５１１）。表示調整値処理部４３は、１乃至複数のキャリブレーションセンサ１の検出出力から表示装置の画面の表示調整値（輝度、色度、及びガンマ値等）を取得する。
【０１２６】
このとき、表示装置の画面における中央箇所だけに１つのキャリブレーションセンサ１が配置され、このキャリブレーションセンサ１により中央箇所の表示調整値が検出されて、この表示調整値が取得された場合は（ステップＳ５０１２で「Ｎｏ」）、この表示調整値をキャリブレーション処理部４４に与える。また、表示装置の画面における中央箇所及び周辺箇所に複数のキャリブレーションセンサ１が配置され、各キャリブレーションセンサ１により中央箇所及び周辺箇所の表示調整値が検出されて、これらの表示調整値が取得された場合は（ステップＳ５０１２で「Ｙｅｓ」）、各表示調整値の平均値を求め、各表示調整値の平均値をキャリブレーション処理部４４に与える（ステップＳ５１３）。
【０１２７】
あるいは、各キャリブレーションセンサ１の配置位置に応じて予め設定されたそれぞれの重み付け係数を各キャリブレーションセンサ１により検出されたそれぞれの表示調整値に掛けて、それぞれの積を求め、これらの積を各キャリブレーションセンサ１の数で割って、平均値を求め、この平均値をキャリブレーション処理部４４に与えてもよい。例えば、表示装置の画面における中央箇所の表示調整値を重視するときには、中央箇所の表示調整値に掛けられる重み付け係数を周辺箇所の表示調整値に掛けられる重み付け係数よりも大きくすればよい。逆に、表示装置の画面における周辺箇所の表示調整値を重視するときには、周辺箇所の表示調整値に掛けられる重み付け係数を中央箇所の表示調整値に掛けられる重み付け係数よりも大きくする。
【０１２８】
そして、表示調整値処理部４３は、表示画面の表示調整値（輝度、色度、及びガンマ値等）を求めると、輝度、色度、及びガンマ値等と、輝度、色度、及びガンマ値等別に予め設定された各目標値とのそれぞれの差分を求め、これらの差分が予め設定された許容誤差以内であるか否かを判定する（ステップＳ５１４）。例えば、これらの差分が許容誤差以内であれば（ステップＳ５１４で「Ｙｅｓ」）、表示装置の画面の表示調整値を調整する必要が無いため、図１３の処理を終了する。
【０１２９】
また、各差分の少なくとも１つが許容誤差以内でなければ（ステップＳ５１４で「Ｎｏ」）、表示調整値処理部４３は、表示画面の表示調整値（輝度、色度、及びガンマ値等）をキャリブレーション処理部４４に与える。キャリブレーション処理部４４は、この表示調整値に基づき、輝度、色度、及びガンマ値等をそれぞれの目標値に調整設定するための輝度、色度、及びガンマ値等の調整量を求め、これらの調整量をコマンド生成部４５に与える（ステップＳ５１５）。コマンド生成部４５は、輝度、色度、及びガンマ値等の調整量を示す表示調整値制御コマンドを生成し、この表示調整値制御コマンドを通信部３３からケーブル２を通じて表示装置へと送信する（ステップＳ５１６）。
【０１３０】
表示装置では、表示調整値制御コマンドを通信部１３で受信して制御部１６のコマンド処理部２１に入力する。制御部１６のコマンド処理部２１は、表示調整値制御コマンドを解析して、輝度、色度、及びガンマ値等の調整量を取得し、これらを映像調整部２３に与える。映像調整部２３は、輝度、色度、及びガンマ値等の調整量だけ、表示部１１の画面の輝度、色度、及びガンマ値等を調整変更する（ステップＳ５１７）。
【０１３１】
この後、ステップＳ５０７〜Ｓ５１４を再度行い、表示画面の表示調整値（輝度、色度、及びガンマ値等）と各目標値とのそれぞれの差分が許容誤差以内であれば、図１３の処理を終了し、また許容誤差以内でなければステップＳ５１５〜Ｓ５１７を再度行って、ステップＳ５０７〜Ｓ５１４に戻る。従って、表示画面の表示調整値（輝度、色度、及びガンマ値等）と各目標値とのそれぞれの差分が許容誤差以内になるまで、ステップＳ５０７〜Ｓ５１４が繰り返されることになる。
【０１３２】
このような図１３の処理は、図３のステップＳ１０５、Ｓ１０６において、優先順位Ｎに従って表示装置の画面が選択され度に繰り返され、各表示装置の全てについて行われて、各表示装置のキャリブレーションが実施される。
【０１３３】
尚、上記実施形態では、複数のキャリブレーション１を表示装置の画面のそれぞれの箇所に配置しているが、単一のキャリブレーションセンサ１を表示装置の画面の各箇所に順次配置し、その度に表示装置の画面にキャリブレーション用表示パターンを表示して、その箇所の表示調整値をキャリブレーションセンサ１により検出しても構わない。
【０１３４】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【０１３５】
１  キャリブレーションセンサ
２  ケーブル
３  コンピュータ（ＰＣ）
１１  表示部
１２  表示駆動部
１３  通信部
１４  操作部
１５  記憶部
１６  制御部
２１  コマンド処理部
２２  パターン生成部
２３  映像調整部
２４  操作処理部
３１  表示部
３３  通信部
３４  操作部
３５  記憶部
３６  制御部
４１  マルチディスプレイ情報入力処理部
４２  検出位置処理部
４３  表示調整値処理部
４４  キャリブレーション処理部
４５  コマンド生成部
ＣＳ  キャリブレーション実施システム
ＭＤ  マルチディスプレイ装置
ｍ１〜ｍ６  表示装置
【図１】
0005839847.tif 000002
【図２】
0005839847.tif 000003
【図３】
0005839847.tif 000004
【図４】
0005839847.tif 000005
【図５】
0005839847.tif 000006
【図６】
0005839847.tif 000007
【図７】
0005839847.tif 000008
【図８】
0005839847.tif 000009
【図９Ａ】
0005839847.tif 000010
【図９Ｂ】
0005839847.tif 000011
【図１０】
0005839847.tif 000012
【図１１】
0005839847.tif 000013
【図１２】
0005839847.tif 000014
【図１３】
0005839847.tif 000015